(57)【要約】      （修正有）【課題】正六角柱状のコアブロックを用いた液体処理装置に磁気による改質を付与する改質性能に優れた液体改質装置を提供する。【解決手段】液体改質装置８０は、改質部５０と、この改質部５０と連通する整水部３０と、を有する。改質部５０は、外部から液体が流入する流入口５２ａと、整水部３０と接続可能であるとともに液体を整水部３０側に吐出する接続口５２ｂと、これら流入口５２ａと接続口５２ｂとを備え液体が流下する内パイプと、この内パイプの外周に磁極が内側を向くように配設された複数の磁石と、を有している。整水部３０は、外筒部と、外筒部内に設置された改質ブロックを有しており、改質ブロックは、内部に外形が正六角柱状のコアブロックを複数有している。【選択図】図３
0003200575.tif 000002
【実用新案登録請求の範囲】
【請求項１】
断面が円形の貫通孔を有し、前記貫通孔の内周面には１周以上周回する螺旋溝が形成され、外形が正六角柱状のコアブロックを有する整水器に接続可能な液体改質装置であって、
液体が流下する内パイプと、前記内パイプの外周に磁極が内側を向くように配設された複数の磁石と、を有し、
前記磁石は前記内パイプの全周に亘って略等間隔に偶数個設置されるとともに、前記内パイプの長辺方向に沿って複数列設置され、さらに、前記磁石は前記内パイプの周方向及び長辺方向でそれぞれ隣り合う磁極が互いに逆となるように配置されることを特徴とする液体改質装置。
【請求項２】
断面が円形の貫通孔を有し、前記貫通孔の内周面には１周以上周回する螺旋溝が形成され、外形が正六角柱状のコアブロックを有する整水部と、
前記整水部と連通する改質部とを有し、
前記改質部は、液体が流下する内パイプと、前記内パイプの外周に磁極が内側を向くように配設された複数の磁石と、を有し、
前記磁石は前記内パイプの全周に亘って略等間隔に偶数個設置されるとともに、前記内パイプの長辺方向に沿って複数列設置され、さらに、前記磁石は前記内パイプの周方向及び長辺方向でそれぞれ隣り合う磁極が互いに逆となるように配置されることを特徴とする液体改質装置。
【請求項３】
改質部が液体の流入側に位置し、整水部が液体の吐出側に位置することを特徴とする請求項２記載の液体改質装置。
【請求項４】
液体の流入口に漏斗を備えることを特徴とする請求項２または請求項３に記載の液体改質装置。
【請求項５】
液体の流入口と吐出口とに送水管と接続可能な継手を備え、既設の送水管の間に設置可能とすることを特徴とする請求項２または請求項３に記載の液体改質装置。
【考案の詳細な説明】
【技術分野】
【０００１】
本考案は、水等の液体を改質する液体改質装置に関するものである。
【背景技術】
【０００２】
近年の健康志向の高まりから飲料水や生活水に関しても良質な水が求められている。また、省エネルギーやコスト面からこれらの水を生成する装置は外部エネルギーを消費せず、またメンテナンスフリーなものが好ましい。ここで、下記［特許文献１］には、内周面に螺旋溝が形成され断面が円形の貫通孔を有した正六角柱状のコアブロックを有する液体処理装置に関する発明が記載されている。この［特許文献１］に記載に発明により、外部エネルギーを使用することなく液体のある程度の改質が可能となった。
【先行技術文献】
【特許文献】
【０００３】
【特許文献１】特許第４０６３７６８号公報
【考案の概要】
【考案が解決しようとする課題】
【０００４】
しかしながら、良質な水への改質は様々な手法による更なる改善が望まれる。本考案は上記事情に鑑みてなされたものであり、上記の液体処理装置に磁気による改質を付与する改質性能に優れた液体改質装置を提供することを目的とする。
【課題を解決するための手段】
【０００５】
本考案は、
（１）断面が円形の貫通孔４２を有し、前記貫通孔４２の内周面には１周以上周回する螺旋溝４４が形成され、外形が正六角柱状のコアブロック４０を有する整水器（整水部３０）に接続可能な液体改質装置であって、
液体が流下する内パイプ５２と、前記内パイプ５２の外周に磁極が内側を向くように配設された複数の磁石５４ａ、５４ｂと、を有し、
前記磁石５４ａ、５４ｂは前記内パイプ５２の全周に亘って略等間隔に偶数個設置されるとともに、前記内パイプ５２の長辺方向に沿って複数列設置され、さらに、前記磁石５４ａ、５４ｂは前記内パイプ５２の周方向及び長辺方向でそれぞれ隣り合う磁極が互いに逆となるように配置されることを特徴とする液体改質装置５０を提供することにより、上記課題を解決する。
（２）断面が円形の貫通孔４２を有し、前記貫通孔４２の内周面には１周以上周回する螺旋溝４４が形成され、外形が正六角柱状のコアブロック４０を有する整水部３０と、前記整水部３０と連通する改質部５０とを有し、
前記改質部５０は、液体が流下する内パイプ５２と、前記内パイプ５２の外周に磁極が内側を向くように配設された複数の磁石５４ａ、５４ｂと、を有し、
前記磁石５４ａ、５４ｂは前記内パイプ５２の全周に亘って略等間隔に偶数個設置されるとともに、前記内パイプ５２の長辺方向に沿って複数列設置され、さらに、前記磁石５４ａ、５４ｂは前記内パイプ５２の周方向及び長辺方向でそれぞれ隣り合う磁極が互いに逆となるように配置されることを特徴とする液体改質装置８０を提供することにより、上記課題を解決する。
（３）改質部５０が液体の流入側に位置し、整水部３０が液体の吐出側に位置することを特徴とする上記（２）記載の液体改質装置８０を提供することにより、上記課題を解決する。
（４）液体の流入口５２ａに漏斗２０を備えることを特徴とする上記（２）または（３）に記載の液体改質装置８０を提供することにより、上記課題を解決する。
（５）液体の流入口５２ａと吐出口３４ｂとに送水管５ａ、５ｂと接続可能な継手２４を備え、既設の送水管５ａ、５ｂの間に設置可能とすることを特徴とする上記（２）または（３）に記載の液体改質装置８０を提供することにより、上記課題を解決する。
【考案の効果】
【０００６】
本考案に係る液体改質装置は、正六角形のコアブロックによる液体の改質に加えて、磁気による更なる改質を行う。これにより、液体に対する好ましい改質をより一層効果的に行うことができる。
【図面の簡単な説明】
【０００７】
【図１】本考案に係る第１の液体改質装置を示す図である。
【図２】本考案に係る第１の液体改質装置の模式断面図である。
【図３】本考案に係る第２の液体改質装置を示す図である。
【図４】本考案に係る第２の液体改質装置の整水部の模式断面図である。
【図５】本考案に係る改質ブロック及びコアブロックを説明する図である。
【図６】本考案に係る液体改質装置の使用方法の例を説明する図である。
【図７】本考案に係る液体改質装置の使用方法の例を説明する図である。
【考案を実施するための形態】
【０００８】
本考案に係る液体改質装置の実施の形態を図面に基づいて説明する。先ず、本考案に係る第１の液体改質装置５０を図１、図２を用いて説明する。ここで、図１（ａ）は第１の液体改質装置５０の斜視図であり、図１（ｂ）は液体改質装置５０の内部構造を示す斜視図である。また、図２（ａ）、（ｂ）は第１の液体改質装置５０の縦方向の模式断面図であり、図２（ｃ）、（ｄ）は液体改質装置５０のＸ−Ｘ断面図である。尚、図１、図２（ａ）、（ｃ）は磁石５４ａ、５４ｂを周方向に１０個設けた例を示しており、図２（ｂ）、（ｄ）は磁石５４ａ、５４ｂを周方向に２０個設けた例を示している。
【０００９】
図１、図２に示す第１の液体改質装置５０は、外部から液体が流入する流入口５２ａと、後述の整水器（整水部３０）と接続可能であるとともに液体を整水器（整水部３０）側に吐出する接続口５２ｂと、これら流入口５２ａと接続口５２ｂとを備え液体が流下する内パイプ５２と、この内パイプ５２の外周に磁極が内側を向くように配設された複数の磁石５４ａ、５４ｂと、を有している。液体改質装置５０の磁石５４ａ、５４ｂとしてはフェライト磁石、ネオジウム磁石、希土類磁石等の周知の永久磁石を用いることができる。そして、これら磁石５４ａ（磁石５４ｂ）は、図２（ｃ）、（ｄ）に示すように、内パイプ５２の外周の全周に亘って略等間隔に偶数個設置される。尚、内パイプ５２の径が２０ｍｍ〜２５ｍｍ程度の場合には、磁石５４ａ（磁石５４ｂ）は２０個程度配置することが好ましい。そして、このとき配置する磁石５４ａ（磁石５４ｂ）は、内パイプ５２の周方向に隣り合う磁石５４ａ（磁石５４ｂ）の磁極が互いに逆となるように配置する。また、磁石５４ａ（磁石５４ｂ）は内パイプ５２の長辺方向に沿って複数列設置する。このときも、図２（ａ）、（ｂ）に示すように、内パイプ５２の長辺方向でそれぞれ隣り合う磁石５４ａ、磁石５４ｂの磁極が互いに逆となるように配置する。尚、図２（ａ）に示すように、磁石５４ａ、５４ｂを周方向に１０個設けた構成では内パイプ５２を挟んで対向する磁石５４ａ、５４ｂの磁極も逆となる。これにより、内パイプ５２内には磁石５４ａ、５４ｂによる磁力線が形成される。そして、水等の液体が内パイプ５２内を流下する際に、この磁石５４ａ、５４ｂによる磁力線が作用し、水分子の凝集状態が解消されるなどの好ましい改質が行われる。このようにして改質の行われた液体は接続口５２ｂから整水器（整水部３０）へ供給される。
【００１０】
次に、本考案に係る第２の液体改質装置８０を説明する。本考案に係る第２の液体改質装置８０は、図３に示すように、第１の液体改質装置５０と、この第１の液体改質装置５０と連通する整水部３０と、を有している。尚、第２の液体改質装置８０においては、第１の液体改質装置５０を改質部５０として同符号で記述する。この第２の液体改質装置８０における整水部３０と改質部５０とは、どちらを液体の流入側としても良いが、改質部５０を流入側（上流側）とし整水部３０を吐出側（下流側）とすることが好ましい。よって、ここでは流入側に改質部５０を設けた例を用いて説明を行う。
【００１１】
次に、第２の液体改質装置８０の整水部３０の構成を、図４、図５を用いて説明する。ここで、図４は整水部３０の模式断面図であり、図５（ａ）は整水部３０内に設置される改質ブロック３２の上面図であり、図５（ｂ）は改質ブロック３２のＹ−Ｙ断面図であり、図５（ｃ）は改質ブロック３２内に設置されるコアブロック４０の斜視図である。
【００１２】
本考案に係る第２の液体改質装置８０の整水部３０は、図４の模式断面図に示すように、改質部５０と接続するとともに改質部５０から液体が流入する接続口３４ａと、改質した液体を外部に吐出する吐出口３４ｂと、これら接続口３４ａと吐出口３４ｂとを備えた外筒部３４と、この外筒部３４内に設置された改質ブロック３２と、を有している。尚、改質ブロック３２は外筒部３４内に少なくとも１つ設けられていれば良く、図４に示すように縦方向に複数連設しても良いし、平面方向に複数配設しても良い。また、改質ブロック３２を平面方向に複数配設した上で、縦方向に複数連設しても良い。
【００１３】
また、改質ブロック３２は、図５に示すように、外部筐体３８と、この外部筐体３８の上下面を塞ぐキャップ部３９と、を有し、内部に外形が正六角柱状のコアブロック４０を複数有している。そして、このコアブロック４０は、図５（ｃ）に示すように、断面が円形の貫通孔４２を有し、この貫通孔４２の内周面には１周以上周回する螺旋溝４４が形成されている。また、キャップ部３９におけるコアブロック４０の貫通孔４２と対応する位置には通水孔３６が形成され、整水部３０に流入した液体は、通水孔３６を介して貫通孔４２内を流下する。そして、この際に液体に対する好ましい改質が行われる。尚、コアブロック４０は改質ブロック３２内で平面方向に複数配設し、さらに縦方向に複数連設することが好ましい。このとき、配設するコアブロック４０の中心軸は全て平行とする。また、コアブロック４０を平面方向に配列する場合にはハニカム状とし、平面視が全体として略正六角形とすることが好ましい。
【００１４】
また、コアブロック４０の材質としては、コスト面からオーステナイト系ステンレス鋼、もしくはマルテンサイト系ステンレス鋼を用いることが好ましく、中でも特にＳＵＳ３０４を用いることが好ましい。さらに、コアブロック４０には所定の条件により熱処理を施す。この熱処理はコアブロック４０に用いる材料によっても異なるが、通常８００℃以上で３０分〜９０分程度とすることが好ましい。
【００１５】
次に、本考案に係る第２の液体改質装置８０の使用方法の例を説明する。液体改質装置８０の第１の使用方法としては、例えば図６に示すように、改質部５０の流入口５２ａに漏斗２０を設置する。また、吐出口３４ｂ側に台座２２を設置する。そして、上水道の給水栓１等から水道水（液体）を漏斗２０に供給する。これにより、漏斗２０に注がれた水道水は流入口５２ａから改質部５０内に流入し、内パイプ５２内を流下する。この際、水道水には磁石５４ａ、５４ｂからの磁力線が作用し好ましい改質が行われる。
【００１６】
改質部５０によって改質が行われた水道水は、次に接続口５２ｂ、３４ａを介して整水部３０内に流入する。そして、コアブロック４０の貫通孔４２内を流下する。これにより、水道水はさらに好ましい改質が行われる。
【００１７】
そして、改質部５０、整水部３０で改質した水道水は吐出口３４ｂから台座２２の下に載置した容器３等に供給される。そして、飲料や料理、掃除洗濯、動植物の飼育栽培等、様々な用途に用いられる。
【００１８】
次に、液体改質装置８０の第２の使用方法を説明する。第２の使用方法における液体改質装置８０は、図７に示すように、液体の流入口５２ａと吐出口３４ｂとに上水道の送水管と接続可能な継手２４を備えている。そして、液体改質装置８０を例えば既設の上水道の送水管５ａ、５ｂの間に設置する。そして、使用者等が下手側の送水管５ｂと接続する給水栓を開栓すると、上手側の送水管５ａから水道水が液体改質装置８０に供給される。そして、水道水は改質部５０、整水部３０を流下して好ましい改質が行われ、下手側の送水管５ｂを通って給水栓から使用者に供給される。この構成によれば、液体改質装置８０よりも下手側の水道水が全て改質水となる。よって、例えば家庭の送水管に液体改質装置８０を設置した場合、家庭内に供給される全ての水を改質水とすることができる。
【００１９】
以上のように、本考案に係る液体改質装置５０、８０は、正六角形のコアブロック４０による改質に加えて、磁気を用いた更なる改質を液体に対して行う。これにより、液体に対する好ましい改質をより一層効果的に行うことができる。また、本考案に係る液体改質装置５０、８０は、磁気及び正六角形のコアブロック４０によって液体の改質を行う。このため電力等の外部エネルギーを必要とせず、ランニングコストがほとんど生じない。また、通水によって改質を行うため、メンテナンスが不要な他、液体改質装置５０、８０を半永久的に使用することができる。
【００２０】
尚、上記に示した液体改質装置５０、８０の各部の構成、形状、デザイン、寸法、及び磁石５４ａ、５４ｂ、コアブロック４０、改質ブロック３２の配列等は一例であるから、上記の例に限定されるわけでは無く、本考案は本考案の要旨を逸脱しない範囲で変更して実施することが可能である。
【符号の説明】
【００２１】
５ａ、５ｂ  送水管
２０    漏斗
２４    継手
３０    整水部
４０    コアブロック
４２    貫通孔
４４    螺旋溝
５０    改質部（第１の液体改質装置）
５２    内パイプ
５２ａ  流入口
３４ｂ  吐出口
５４ａ、５４ｂ  磁石
８０    （第２の）液体改質装置
【図１】
0003200575.tif 000003
【図２】
0003200575.tif 000004
【図３】
0003200575.tif 000005
【図４】
0003200575.tif 000006
【図５】
0003200575.tif 000007
【図６】
0003200575.tif 000008
【図７】
0003200575.tif 000009